(57)【要約】【課題】複数の異なる通信方式を使用してサービスの提供を受ける際に、サービス内容に応じた通信品質を表示すること。【解決手段】第１の受信電界強度検出部１０１は、第１の通信方式により通信する際の受信電界強度を検出する。第２の受信電界強度検出部１０２は、第２の通信方式により通信する際の受信電界強度を検出する。無線状態調整部１０３は、第１の受信電界強度検出部１０１及び第２の受信電界強度検出部１０２により検出した各々の受信電界強度に基づいて、第１の通信方式と第２の通信方式とにより通信を行ってサービスの提供を受ける際の受信電界強度を決定する。表示部１０５は、無線状態調整部１０３が決定した受信電界強度を表示する。【選択図】図１
2010098366.tif 000002
【特許請求の範囲】
【請求項１】
複数の異なる通信方式により通信を行ってサービスの提供を受ける際に、各々の前記通信方式により通信する際の通信品質を各々検出する検出手段と、
検出した各々の前記通信品質に基づいて、前記サービスの提供を受ける際の通信品質を決定する決定手段と、
決定した前記通信品質を表示する表示手段と、
を具備する無線端末装置。
【請求項２】
前記決定手段は、伝送するデータ容量の最も大きな前記通信方式の通信品質を調整することにより、前記サービスの提供を受ける際の通信品質を決定する請求項１記載の無線端末装置。
【請求項３】
前記検出手段は、第１の通信方式により通信する際の第１通信品質と第２の通信方式により通信する際の第２通信品質とを検出し、
前記決定手段は、前記第２通信品質が閾値以下の場合に、前記第１通信品質を所定量小さくした通信品質を前記サービスの提供を受ける際の通信品質として決定する請求項１記載の無線端末装置。
【請求項４】
前記検出手段は、第１の通信方式により通信する際の第１通信品質と第２の通信方式により通信する際の第２通信品質とを検出し、
前記決定手段は、前記第１通信品質と前記第２通信品質との加重平均値を算出し、算出した前記加重平均値が閾値以下の場合に、前記第１通信品質を所定量小さくした通信品質を前記サービスの提供を受ける際の通信品質として決定する請求項１記載の無線端末装置。
【請求項５】
前記表示手段は、前記決定手段により決定した通信品質をアンテナバーにより表示し、
前記決定手段は、表示する前記アンテナバーにおけるバーの数を決定する請求項１記載の無線端末装置。
【請求項６】
前記決定手段は、前記検出手段により検出した通信品質の少なくとも１つが圏外レベルである場合に、前記サービスの提供を受ける際の通信品質を圏外として前記表示手段に表示させる請求項１記載の無線端末装置。
【請求項７】
前記検出手段は、第１の通信方式により通信する際の第１通信品質と第２の通信方式により通信する際の第２通信品質とを検出し、
前記決定手段は、通信品質と調整値とを対応付けたテーブルを有し、前記第２通信品質を用いて前記テーブルを参照することにより前記調整値を選択するとともに、選択した前記調整値により前記第１通信品質を調整することにより前記サービスの提供を受ける際の通信品質を決定する請求項１記載の無線端末装置。
【請求項８】
前記サービスの提供を受けることを検出した場合に、前記決定手段に対して前記決定を行うことを指示する指示手段を具備し、
前記決定手段は、前記指示を受けた際に前記決定を行う請求項１記載の無線端末装置。
【請求項９】
閾値の情報であるパラメータ情報を取得する取得手段を具備し、
前記決定手段は、取得した前記パラメータ情報の閾値と前記検出手段により検出した通信品質とを比較して前記サービスの提供を受ける際の通信品質を決定する請求項１記載の無線端末装置。
【請求項１０】
通信品質と調整値とを対応付けたサービス毎のテーブルを保持する保持手段と、
提供を受けるサービスに応じて前記テーブルを選択する選択手段とを具備し、
前記検出手段は、第１の通信方式により通信する際の第１通信品質と第２の通信方式により通信する際の第２通信品質とを検出し、
前記決定手段は、前記第２通信品質を用いて、前記選択手段により選択した前記テーブルを参照することにより前記調整値を選択するとともに、選択した前記調整値により前記第１通信品質を調整することにより前記サービスの提供を受ける際の通信品質を決定する請求項１記載の無線端末装置。
【請求項１１】
複数の異なる通信方式により通信を行ってサービスの提供を受ける無線端末装置における通信品質表示方法であって、
各々の前記通信方式により通信する際の通信品質を各々検出するステップと、
検出した各々の前記通信品質に基づいて、前記サービスの提供を受ける際の通信品質を決定するステップと、
決定した前記通信品質を表示するステップと、
を具備する通信品質表示方法。
【発明の詳細な説明】
【技術分野】
【０００１】
本発明は、無線端末装置及び通信品質表示方法に関し、特に複数の異なる通信方式を用いてサービスの提供を受ける無線端末装置及び通信品質表示方法に関する。
【背景技術】
【０００２】
近年、複数の異なる通信方式を同時に使用することにより、所望のサービスの提供を受けることができる携帯端末が知られている。例えば、放送と通信が連携したサービスとしては、放送で番組コンテンツを受信し、通信でその番組コンテンツに関する投票またはチャットに参加するサービス、または放送で番組コンテンツを受信し、通信でその番組コンテンツの視聴権利を取得するサービスが考えられる。
【０００３】
このようなサービスにおいて、コンテンツを視聴しているユーザに限定してサービスを提供する場合、または視聴しているコンテンツの視聴権利を定期的に確認する必要がある場合に、複数の異なる全ての通信方式における信号が所定の品質で受信できない場合にはサービスの提供を受けることはできない。
【０００４】
従って、従来、ユーザは、複数の異なる通信方式の無線状態を各々確認し、確認した各々の無線状態によりサービス利用の可否を判断している。この場合、一部の通信方式の無線状態が良好であっても、他の通信方式の無線状態が劣悪である場合には、突然サービスが受けられない状態になる。また、ユーザは、上記のサービス以外に、単一の通信方式を用いた通信により提供されるサービスも利用可能な場合には、これから提供を受けるサービスが、複数の通信方式の無線状態を確認しなければいけないサービスであるのか否かを判断しなければならない。
【０００５】
このような課題を解決する方法として、特許文献１及び特許文献２が知られている。特許文献１は、２系統以上の各移動体通信網の状況にそれぞれ応じた２以上の図形を作成し、作成した２以上の図形を合成して、合成の結果得られる図形を、通信端末装置の待ち受け状態に応じた特定図形として、掲示用画像内に組み込むものである。特許文献１において、特定図形の形状は、各移動体通信網の状況に応じた図形を形状が等しい部分が一致するように相互に重ね合わせた形状である。また、特定図形において、重ね合わせた部分は、各移動体通信網に固有の色を合成した色で表示される。
【０００６】
また、特許文献２は、ＰＨＳ受信回路及びＰＤＣ受信回路によって各々検出される受信信号毎に、メモリに予め記憶しているデータテーブルから受信信号の電界強度に対応する色を読み出し、その読み出した複数の色を合成した合成色を作成して表示する。特許文献２において、表示された合成色が緑成分のみから成るときはＰＤＣ通信が通信圏外であることを意味し、表示された合成色が赤成分のみから成るときはＰＨＳ通信が通信圏外であることを意味し、表示された合成色が黒色であるときはＰＤＣ通信とＰＨＳ通信がともに通信圏外であることを意味する。
【特許文献１】特開２００２−１０３５１号公報
【特許文献２】特開２００２−３５３８２６号公報
【発明の開示】
【発明が解決しようとする課題】
【０００７】
しかしながら、特許文献１及び特許文献２においては、各通信方式は二者択一で使用されるので、表示される合成色は、各通信方式の受信電界強度に応じた色を単に合成しただけであり、通信方式毎の受信電界強度を示しているにすぎない。従って、特許文献１及び特許文献２においては、使用可能な通信方式を個別に確認することができるだけであり、異なる通信方式を同時に使用して所望のサービスの提供を受ける際に、サービス内容に応じた通信品質を表示することができないという問題がある。
【０００８】
本発明はかかる点に鑑みてなされたものであり、複数の異なる通信方式を使用してサービスの提供を受ける際に、サービス内容に応じた通信品質を表示することができる無線端末装置及び通信品質表示方法を提供することを目的とする。
【課題を解決するための手段】
【０００９】
本発明の無線端末装置は、複数の異なる通信方式により通信を行ってサービスの提供を受ける際に、各々の前記通信方式により通信する際の通信品質を各々検出する検出手段と、検出した各々の前記通信品質に基づいて、前記サービスの提供を受ける際の通信品質を決定する決定手段と、決定した前記通信品質を表示する表示手段と、を具備する構成を採る。
【００１０】
本発明の通信品質表示方法は、複数の異なる通信方式により通信を行ってサービスの提供を受ける無線端末装置における通信品質表示方法であって、各々の前記通信方式により通信する際の通信品質を各々検出するステップと、検出した各々の前記通信品質に基づいて、前記サービスの提供を受ける際の通信品質を決定するステップと、決定した前記通信品質を表示するステップと、を具備するようにした。
【発明の効果】
【００１１】
本発明によれば、複数の異なる通信方式を使用してサービスの提供を受ける際に、サービス内容に応じた通信品質を表示することができる。
【発明を実施するための最良の形態】
【００１２】
以下、本発明の実施の形態について、図面を参照して詳細に説明する。
【００１３】
（実施の形態１）
図１は、本発明の実施の形態１に係る無線端末装置１００の構成を示すブロック図である。
【００１４】
第１の受信電界強度検出部１０１は、図示しないアンテナで受信した第１の通信方式の受信信号が入力し、入力した第１の通信方式の受信信号の受信電界強度（ＲＳＳＩ：Received Signal Strength Indicator）を検出する。そして、第１の受信電界強度検出部１０１は、検出した受信電界強度を検出結果として無線状態調整部１０３へ出力するか、または検出した受信電界強度に応じたアンテナバーにおけるバーの数を検出結果として無線状態調整部１０３へ出力する。ここで、第１の通信方式とは、例えば、セルラー方式、ＰＨＳ（Personal Handy-phone System）方式、ブルートゥース（登録商標）、無線ＬＡＮ、ＷｉＭＡＸ（Worldwide Interoperability for Microwave Access）またはディジタルテレビ放送等である。
【００１５】
第２の受信電界強度検出部１０２は、図示しないアンテナで受信した第２の通信方式の受信信号が入力し、入力した第２の通信方式の受信信号の受信電界強度を検出する。そして、第２の受信電界強度検出部１０２は、検出した受信電界強度を検出結果として無線状態調整部１０３へ出力するか、または検出した受信電界強度に応じたアンテナバーにおけるバーの数を検出結果として無線状態調整部１０３へ出力する。ここで、第２の通信方式とは、例えば、セルラー方式、ＰＨＳ方式、ブルートゥース（登録商標）、無線ＬＡＮ、ＷｉＭＡＸまたはディジタルテレビ放送等である。ただし、第２の通信方式は、第１の通信方式とは異なる通信方式であり、例えば、第１の通信方式は無線ＬＡＮを使用し、第２の通信方式はセルラー方式を使用する。
【００１６】
無線状態調整部１０３は、第１の受信電界強度検出部１０１から入力した受信電界強度の検出結果と、第２の受信電界強度検出部１０２から入力した受信電界強度の検出結果とに基づいて、第１の通信方式と第２の通信方式の双方を使用してサービスを受ける際の受信電界強度を決定する。この際、無線状態調整部１０３は、表示部１０５に表示するアンテナバーにおけるバーの数を受信電界強度として決定する。そして、無線状態調整部１０３は、決定した受信電界強度を表示制御部１０４へ出力する。なお、無線状態調整部１０３は、今回決定した受信電界強度が前回決定した受信電界強度と異なる場合にのみ、今回決定した受信電界強度を表示制御部１０４へ出力するようにしても良い。また、無線状態調整部１０３における受信電界強度の決定方法は後述する。
【００１７】
表示制御部１０４は、無線状態調整部１０３から入力した受信電界強度を表示するための表示処理を行い、受信電界強度を表示部１０５に表示する制御を行う。
【００１８】
表示部１０５は、例えば液晶ディスプレイ（ＬＣＤ）であり、表示制御部１０４の制御により、受信電界強度を表示する。
【００１９】
次に、無線端末装置１００の動作について、図２を用いて説明する。図２は、無線端末装置１００の動作を示すフロー図である。図２では、第１の受信電界強度検出部１０１及び第２の受信電界強度検出部１０２は、検出した受信電界強度に応じたアンテナバーにおけるバーの数を受信電界強度の検出結果として無線状態調整部１０３へ出力する場合を例に説明する。
【００２０】
無線状態調整部１０３は、第１の受信電界強度検出部１０１から入力した受信電界強度の検出結果Ｒｂ、または第２の受信電界強度検出部１０２から入力した受信電界強度の検出結果Ｒｃが圏外レベルであるか否かを判定する（Ｒｃ＝圏外又はＲｂ＝圏外？）（ステップＳＴ２０１）。
【００２１】
第１の受信電界強度検出部１０１から入力した受信電界強度の検出結果Ｒｂ、または第２の受信電界強度検出部１０２から入力した受信電界強度の検出結果Ｒｃが圏外レベルである場合には（ステップＳＴ２０１：Ｙｅｓ）、無線状態調整部１０３は、サービスを受ける際の受信電界強度を圏外にして表示することを決定する（Ｒａ＝圏外）（ステップＳＴ２０２）。なお、図２において、Ｒａは、無線状態調整部１０３から出力される受信電界強度である。
【００２２】
一方、第１の受信電界強度検出部１０１から入力した受信電界強度の検出結果Ｒｂ、または第２の受信電界強度検出部１０２から入力した受信電界強度の検出結果Ｒｃが圏外レベルでない場合には（ステップＳＴ２０１：Ｎｏ）、無線状態調整部１０３は、第２の受信電界強度検出部１０２から入力した受信電界強度の検出結果が調整閾値より小さいか否かを判定する（Ｒｃ＜調整閾値？）。さらに、無線状態調整部１０３は、第１の受信電界強度検出部１０１から入力した受信電界強度の検出結果Ｒｂから１を減算した場合（Ｒｂ−１）に、減算結果が０にならないか否かを判定する（（Ｒｂ−１）≠圏外？）（ステップＳＴ２０３）。なお、本判定は調整した結果が圏外にならないか否かを判定することを意味する。
【００２３】
第２の受信電界強度検出部１０２から入力した受信電界強度の検出結果が調整閾値より小さく、且つ第１の受信電界強度検出部１０１から入力した受信電界強度の検出結果から１を減算した場合に、減算結果が０にならない場合には（ステップＳＴ２０３：Ｙｅｓ）、無線状態調整部１０３は、第１の受信電界強度検出部１０１の受信電界強度の検出結果を所定量小さくする（Ｒａ＝ＡＤ（Ｒｂ））（ステップＳＴ２０４）。即ち、無線状態調整部１０３は、第１の受信電界強度検出部１０１の受信電界強度の検出結果を１レベル下げる。なお、図２において、ＡＤ（Ｒｂ）は、受信電界強度の検出結果を調整するための調整関数であり、本実施の形態においては、受信電界強度の検出結果を１レベル下げる関数である。
【００２４】
一方、第２の受信電界強度検出部１０２から入力した受信電界強度の検出結果が調整閾値より小さくない場合、または第１の受信電界強度検出部１０１から入力した受信電界強度の検出結果から１を減算した場合に、減算結果が０になる場合には（ステップＳＴ２０３：Ｎｏ）、無線状態調整部１０３は、第１の受信電界強度検出部１０１の受信電界強度の検出結果の調整を行わない（Ｒａ＝Ｒｂ）（ステップＳＴ２０５）。即ち、無線状態調整部１０３は、第１の受信電界強度検出部１０１の受信電界強度の検出結果をそのまま出力する。
【００２５】
図２において、第２の通信方式を使用して伝送するデータ容量よりも第１の通信方式を使用して伝送するデータ容量の方が大きい場合には、第２の通信方式の第２受信電界強度を使用して第１の通信方式の第１受信電界強度を調整することができる。従って、この場合には、データ容量の最も大きい第１の通信方式の第１受信電界強度を基準にして調整した受信電界強度を、サービスの提供を受ける際の受信電界強度として表示することができる。
【００２６】
図３は、無線端末装置１００の位置と各通信エリアとの関係を示す図である。また、図４は、無線端末装置１００が図３のＡ〜Ｇの各々に位置する場合において、第１の受信電界強度検出部１０１及び第２の受信電界強度検出部１０２の受信電界強度の検出結果と、無線状態調整部１０３にける調整結果と、表示部１０５の表示とを示す図である。また、図５は、図３のＡ〜Ｇの各々に位置における第１の受信電界強度検出部１０１の検出結果及び第２の受信電界強度検出部１０２の検出結果の一例を示す図である。
【００２７】
また、図３において、位置Ａは、第２の通信方式の通信エリア＃３０２の圏内であるが、第１の通信方式の通信エリア＃３０１の圏外である。また、位置Ｇは、第２の通信方式の通信エリア＃３０２の圏外であるが、第１の通信方式の通信エリア＃３０１の圏内である。また、位置Ｂ〜Ｆは、第１の通信方式の通信エリア＃３０１と第２の通信方式の通信エリア＃３０２の双方の圏内である。これより、位置Ｂ〜位置Ｆは、サービスを利用することが可能なエリアである。また、図４において、アンテナバーは、アンテナのみの図形（図４（Ｂ））、またはアンテナとバーとの組み合わせからなる図形（図４（Ｃ）〜図４（Ｆ））により表示される。また、バーの数は、受信電界強度に応じて変更される。
【００２８】
無線端末装置１００が位置Ａにおいて通信を行う場合、図５に示すように、第１の受信電界強度検出部１０１の検出結果Ｒｂ＿ｅｘ（ｔ）は、圏外閾値＃５０１より小さい。従って、図４（Ａ）に示すように、第１の受信電界強度検出部１０１は受信電界強度の検出結果として圏外を検出し、第２の受信電界強度検出部１０２は受信電界強度の検出結果としてレベル３を検出する。この結果、無線状態調整部１０３は、サービスを受ける際の受信電界強度を圏外にすることを決定し、表示部１０５は、圏外を表示する。
【００２９】
また、無線端末装置１００が位置Ｂにおいて通信を行う場合、図５に示すように、第１の受信電界強度検出部１０１の検出結果Ｒｂ＿ｅｘ（ｔ）は、圏内レベル０と１の閾値＃５０２より小さく且つ圏外閾値＃５０１以上である。従って、図４（Ｂ）に示すように、第１の受信電界強度検出部１０１は受信電界強度の検出結果としてレベル０を検出し、第２の受信電界強度検出部１０２は受信電界強度の検出結果としてレベル３を検出する。この結果、無線状態調整部１０３は、サービスを受ける際の受信電界強度をレベル０にすることを決定し、表示部１０５は、レベル０を示すアンテナバーを表示する。
【００３０】
また、無線端末装置１００が位置Ｃにおいて通信を行う場合、図５に示すように、第１の受信電界強度検出部１０１の検出結果Ｒｂ＿ｅｘ（ｔ）は、圏内レベル１と２の閾値＃５０３より小さく且つ圏内レベル１と２の閾値＃５０２以上である。従って、図４（Ｃ）に示すように、第１の受信電界強度検出部１０１は受信電界強度の検出結果としてレベル１を検出し、第２の受信電界強度検出部１０２は受信電界強度の検出結果としてレベル３を検出する。この結果、無線状態調整部１０３は、サービスを受ける際の受信電界強度をレベル１にすることを決定し、表示部１０５は、レベル１を示すアンテナバーを表示する。
【００３１】
また、無線端末装置１００が位置Ｄにおいて通信を行う場合、図５に示すように、第１の受信電界強度検出部１０１の検出結果Ｒｂ＿ｅｘ（ｔ）は、圏内レベル２と３の閾値＃５０４より小さく且つ圏内レベル１と２の閾値＃５０３以上である。従って、図４（Ｄ）に示すように、第１の受信電界強度検出部１０１は受信電界強度の検出結果としてレベル２を検出し、第２の受信電界強度検出部１０２は受信電界強度の検出結果としてレベル３を検出する。この結果、無線状態調整部１０３は、サービスを受ける際の受信電界強度をレベル２にすることを決定し、表示部１０５は、レベル２を示すアンテナバーを表示する。
【００３２】
また、無線端末装置１００が位置Ｅにおいて通信を行う場合、図５に示すように、第１の受信電界強度検出部１０１の検出結果Ｒｂ＿ｅｘ（ｔ）は、圏内レベル２と３の閾値＃５０４以上であり、第２の受信電界強度検出部１０２の検出結果Ｒｃ＿ｅｘ（ｔ）は、調整閾値＃５０５以上である。従って、図４（Ｅ）に示すように、第１の受信電界強度検出部１０１は受信電界強度の検出結果としてレベル３を検出し、第２の受信電界強度検出部１０２は受信電界強度の検出結果としてレベル３を検出する。この結果、無線状態調整部１０３は、サービスを受ける際の受信電界強度をレベル３にすることを決定し、表示部１０５は、レベル３を示すアンテナバーを表示する。
【００３３】
また、無線端末装置１００が位置Ｆにおいて通信を行う場合、図５に示すように、第１の受信電界強度検出部１０１の検出結果Ｒｂ＿ｅｘ（ｔ）は、圏内レベル２と３の閾値＃５０４以上であり、第２の受信電界強度検出部１０２の検出結果Ｒｃ＿ｅｘ（ｔ）は、調整閾値＃５０５より小さく且つ圏外閾値＃５０６より大きい。従って、図４（Ｆ）に示すように、第１の受信電界強度検出部１０１は受信電界強度の検出結果としてレベル３を検出し、第２の受信電界強度検出部１０２は受信電界強度の検出結果としてレベル０を検出する。この結果、無線状態調整部１０３は、第１の受信電界強度検出部１０１の検出結果Ｒｂ＿ｅｘ（ｔ）＝３から１を減算し（Ｒａ＝ＡＤ（Ｒｂ）＝Ｒｂ−１）、サービスを受ける際の受信電界強度をレベル２にすることを決定し、表示部１０５は、レベル２を示すアンテナバーを表示する。
【００３４】
また、無線端末装置１００が位置Ｇにおいて通信を行う場合、図５に示すように、第１の受信電界強度検出部１０１の検出結果Ｒｂ＿ｅｘ（ｔ）は、圏内レベル２と３の閾値＃５０４以上であり、第２の受信電界強度検出部１０２の検出結果Ｒｃ＿ｅｘ（ｔ）は、圏外閾値＃５０６以下である。従って、図４（Ｇ）に示すように、第１の受信電界強度検出部１０１は受信電界強度の検出結果としてレベル３を検出し、第２の受信電界強度検出部１０２は受信電界強度の検出結果として圏外を検出する。この結果、無線状態調整部１０３は、サービスを受ける際の受信電界強度を圏外にすることを決定し、表示部１０５は、圏外を表示する。
【００３５】
上記より、無線端末装置１００が位置Ｆから位置Ｇに移動する場合、表示部１０５は、第１の受信電界強度検出部１０１における実際の受信電界強度の検出結果よりも低い受信電界強度を表示する。この結果、ユーザは、表示部１０５の表示を見ることにより、サービスを受けられなくなる可能性があることを認識することができる。
【００３６】
これに対して、従来は、第１の通信方式における実際の受信電界強度の検出結果をそのまま表示する。例えば、無線端末装置は、位置Ｆに存在する場合、レベル３のアンテナバーを表示する。従って、従来、無線端末装置は、位置Ｆから位置Ｇに移動した際に、レベル３を表示しているにも関わらず突然圏外になり、ユーザにとっては予期しない時に突然サービスを受けられなくなる自体を生じる。
【００３７】
次に、第１の受信電界強度検出部１０１及び第２の受信電界強度検出部１０２が、検出した受信電界強度そのものを検出結果として無線状態調整部１０３へ出力する場合の無線端末装置１００の動作について説明する。
【００３８】
この場合、無線状態調整部１０３は、加重平均値を求めることにより、表示部１０５に表示するアンテナバーにおけるバーの数を間接的に調整する。即ち、無線状態調整部１０３は、（１）式により加重平均値を求める。
【００３９】
ＡＤ（Ｒｂ、Ｒｃ）＝（（Ｗｂ＊Ｒｂ＋Ｗｃ＊Ｒｃ）／（Ｒｂ＋Ｒｃ））    （１）
ただし、ＡＤ（Ｒｂ、Ｒｃ）は、加重平均値
Ｗｂ、Ｗｃは、重み係数
Ｒｂは、第１の受信電界強度検出部１０１の検出結果（ＲＳＳＩ）
Ｒｃは、第２の受信電界強度検出部１０２の検出結果（ＲＳＳＩ）
【００４０】
そして、無線状態調整部１０３は、上記（１）式により求めた加重平均値と閾値とを比較することにより、表示するアンテナバーにおけるバーの数を調整する。例えば、無線状態調整部１０３は、加重平均値が閾値以下の場合に、第１の受信電界強度検出部１０１により検出した受信電界強度を用いて決定したアンテナバーにおけるバーの数を１つ減らすことを決定する。なお、その他の無線端末装置１００の動作は、図２〜図５と同一であるので、その説明を省略する。
【００４１】
このように、本実施の形態によれば、複数の異なる通信方式を使用してサービスの提供を受ける際に、サービス内容に応じた受信電界強度を表示することができる。また、本実施の形態によれば、複数の通信方式における各々の伝送容量に応じて受信電界強度を調整することにより、伝送するデータ容量の大きな通信方式等の良好な品質を要求される通信方式を基準にして調整した受信電界強度を、サービスの提供を受ける際の受信電界強度として表示することができる。
【００４２】
（実施の形態２）
図６は、本発明の実施の形態２に係る無線端末装置６００の構成を示すブロック図である。
【００４３】
図６に示す無線端末装置６００は、図１に示す実施の形態１に係る無線端末装置１００に対して、圏外判定テーブル保持部６０１及び調整値算出テーブル保持部６０２を追加し、無線状態調整部１０３の代わりに無線状態調整部６０３を有する。なお、図６において、図１と同一構成である部分には同一の符号を付してその説明を省略する。
【００４４】
圏外判定テーブル保持部６０１は、検出した受信電界強度が圏外レベルであるか否かを判定するための閾値を保持する。
【００４５】
調整値算出テーブル保持部６０２は、第１の通信方式と第２の通信方式の双方を使用してサービスを受ける際の受信電界強度を決定するための調整値を保持する。
【００４６】
第１の受信電界強度検出部１０１は、図示しないアンテナで受信した第１の通信方式の受信信号が入力し、入力した第１の通信方式の受信信号の受信電界強度を検出する。そして、第１の受信電界強度検出部１０１は、検出した受信電界強度を検出結果として無線状態調整部６０３へ出力するか、または検出した受信電界強度に応じたアンテナバーにおけるバーの数を検出結果として無線状態調整部６０３へ出力する。
【００４７】
第２の受信電界強度検出部１０２は、図示しないアンテナで受信した第２の通信方式の受信信号が入力し、入力した第２の通信方式の受信信号の受信電界強度を検出する。そして、第２の受信電界強度検出部１０２は、検出した受信電界強度を検出結果として無線状態調整部６０３へ出力するか、または検出した受信電界強度に応じたアンテナバーにおけるバーの数を検出結果として無線状態調整部６０３へ出力する。
【００４８】
無線状態調整部６０３は、第１の受信電界強度検出部１０１から入力した受信電界強度の検出結果と、第２の受信電界強度検出部１０２から入力した受信電界強度の検出結果とを、圏外判定テーブル保持部６０１に保持する圏外閾値及び調整値算出テーブル保持部６０２に保持する調整値の各々と比較することにより、第１の通信方式と第２の通信方式の双方を使用してサービスを受ける際の受信電界強度を決定する。この際、無線状態調整部６０３は、表示部１０５に表示するアンテナバーにおけるバーの数を受信電界強度として決定する。そして、無線状態調整部６０３は、決定した受信電界強度を表示制御部１０４へ出力する。なお、無線状態調整部６０３は、今回決定した受信電界強度が前回決定した受信電界強度と異なる場合にのみ、今回決定した受信電界強度を表示制御部１０４へ出力するようにしても良い。また、無線状態調整部６０３における受信電界強度の決定方法は後述する。
【００４９】
表示制御部１０４は、無線状態調整部６０３から入力した受信電界強度を表示するための表示処理を行い、受信電界強度を表示部１０５に表示する制御を行う。
【００５０】
図７は、圏外判定テーブルを示す図である。また、図８は、調整値算出テーブルを示す図である。また、図８において、ｒｃｒ１＞ｒｃｒ２であり、ＡＤ１（Ｒｂ）＞ＡＤ２（Ｒｂ）＞ＡＤ３（Ｒｂ）である。
【００５１】
次に、無線端末装置６００の動作について、図９を用いて説明する。図９は、無線端末装置６００の動作を示すフロー図である。図９では、第１の受信電界強度検出部１０１及び第２の受信電界強度検出部１０２は、検出した受信電界強度を検出結果として無線状態調整部６０３へ出力する場合を例に説明する。
【００５２】
無線状態調整部６０３は、第１の受信電界強度検出部１０１から入力した受信電界強度の検出結果Ｒｂ、または第２の受信電界強度検出部１０２から入力した受信電界強度の検出結果Ｒｃが、圏外判定テーブルの閾値ｒｂｏ、ｒｃｏよりも小さいか否かを判定する（Ｒｃ＜ｒｃｏまたはＲｂ＜ｒｂｏ？）（ステップＳＴ９０１）。
【００５３】
第１の受信電界強度検出部１０１から入力した受信電界強度の検出結果Ｒｂ、または第２の受信電界強度検出部１０２から入力した受信電界強度の検出結果Ｒｃが、圏外判定テーブルの閾値ｒｂｏ、ｒｃｏよりも小さい場合には（ステップＳＴ９０１：Ｙｅｓ）、無線状態調整部６０３は、サービスを受ける際の受信電界強度を圏外にして表示することを決定する（Ｒａ＝圏外）（ステップＳＴ９０２）。そして、表示部１０５は、「圏外」を表示する。
【００５４】
一方、第１の受信電界強度検出部１０１から入力した受信電界強度の検出結果Ｒｂ、または第２の受信電界強度検出部１０２から入力した受信電界強度の検出結果Ｒｃが、圏外判定テーブルの閾値ｒｂｏ、ｒｃｏよりも小さくない場合には（ステップＳＴ９０１：Ｎｏ）、無線状態調整部６０３は、第２の受信電界強度検出部１０２から入力した受信電界強度の検出結果Ｒｃが、調整値算出テーブルの閾値ｒｃｒ１以上であるか否かを判定する（Ｒｃ≧ｒｃr１？）（ステップＳＴ９０３）。
【００５５】
第２の受信電界強度検出部１０２から入力した受信電界強度の検出結果Ｒｃが、調整値算出テーブルの閾値ｒｃｒ１以上である場合には（ステップＳＴ９０３：Ｙｅｓ）、無線状態調整部６０３は、調整値算出テーブル保持部６０２に保持される調整値算出テーブルを参照して、調整結果Ｒａとして調整値ＡＤ１（Ｒｂ）を選択する（Ｒａ＝ＡＤ１（Ｒｂ））（ステップＳＴ９０４）。また、無線状態調整部６０３は、選択した調整値ＡＤ１（Ｒｂ）により、出力する受信電界強度を調整する。例えば、無線状態調整部６０３は、第１の受信電界強度検出部１０１から入力した受信電界強度の検出結果Ｒｂに対して「調整値ＡＤ１（Ｒｂ）＝１」を乗算し、乗算結果と閾値とを比較して調整結果Ｒａを求め、求めた調整結果Ｒａを出力する。そして、表示部１０５は、調整結果Ｒａを表示する。
【００５６】
一方、第２の受信電界強度検出部１０２から入力した受信電界強度の検出結果Ｒｃが、調整値算出テーブルの閾値ｒｃｒ１以上でない場合には（ステップＳＴ９０３：Ｎｏ）、無線状態調整部６０３は、第２の受信電界強度検出部１０２から入力した受信電界強度の検出結果Ｒｃが、調整値算出テーブルの閾値ｒｃｒ２以上であるか否かを判定する（Ｒｃ≧ｒｃr２？）（ステップＳＴ９０５）。
【００５７】
第２の受信電界強度検出部１０２から入力した受信電界強度の検出結果Ｒｃが、調整値算出テーブルの閾値ｒｃｒ２以上である場合には（ステップＳＴ９０５：Ｙｅｓ）、無線状態調整部６０３は、調整値算出テーブル保持部６０２に保持される調整値算出テーブルを参照して、調整結果Ｒａとして調整値ＡＤ２（Ｒｂ）を選択する（Ｒａ＝ＡＤ２（Ｒｂ））（ステップＳＴ９０６）。また、無線状態調整部６０３は、選択した調整値ＡＤ２（Ｒｂ）により、出力する受信電界強度を調整する。例えば、無線状態調整部６０３は、第１の受信電界強度検出部１０１から入力した受信電界強度の検出結果Ｒｂに対して「調整値ＡＤ２（Ｒｂ）＝０．９」を乗算し、乗算結果と閾値とを比較して調整結果Ｒａを求め、求めた調整結果Ｒａを出力する。そして、表示部１０５は、調整結果Ｒａを表示する。
【００５８】
一方、第２の受信電界強度検出部１０２から入力した受信電界強度の検出結果Ｒｃが、調整値算出テーブルの閾値ｒｃｒ２以上でない場合には（ステップＳＴ９０５：Ｎｏ）、無線状態調整部６０３は、調整値算出テーブル保持部６０２に保持される調整値算出テーブルを参照して、調整結果Ｒａとして調整値ＡＤ３（Ｒｂ）を選択する（Ｒａ＝ＡＤ３（Ｒｂ））（ステップＳＴ９０７）。また、無線状態調整部６０３は、選択した調整値ＡＤ３（Ｒｂ）により、出力する受信電界強度を調整する。例えば、無線状態調整部６０３は、第１の受信電界強度検出部１０１から入力した受信電界強度の検出結果Ｒｂに対して「調整値ＡＤ３（Ｒｂ）＝０．７」を乗算し、乗算結果と閾値とを比較して調整結果Ｒａを求め、求めた調整結果Ｒａを出力する。そして、表示部１０５は、調整結果Ｒａを表示する。
【００５９】
図９において、ステップＳＴ９０１及びステップＳＴ９０２の処理は圏外判定テーブルに従った処理であり、ステップＳＴ９０３〜ステップＳＴ９０７の処理は調整値算出テーブルに従った処理である。
【００６０】
このように、本実施の形態によれば、上記実施の形態１の効果に加えて、テーブルに保持した閾値を用いて、表示する受信電界強度を決定するので、受信電界強度を決定する処理を簡略化することができる。また、本実施の形態によれば、第２の受信電界強度検出部の受信電界強度の検出結果Ｒｃと比較する閾値を複数設けたので、段階的に受信電界強度を切り替えて表示することができ、ユーザに対して段階的に注意を促すことができる。
【００６１】
（実施の形態３）
図１０は、本発明の実施の形態３に係る無線端末装置１０００の構成を示すブロック図である。
【００６２】
図１０に示す無線端末装置１０００は、図１に示す実施の形態１に係る無線端末装置１００に対して、調整指示判定部１００１を追加し、無線状態調整部１０３の代わりに無線状態調整部１００２を有する。なお、図１０において、図１と同一構成である部分には同一の符号を付してその説明を省略する。
【００６３】
調整指示判定部１００１は、受信電界強度の調整を指示する指示情報を取得した場合に、無線状態調整部１００２に対して受信電界強度を調整することを指示する。ここで、指示情報とは、例えば、無線端末装置１０００に設けた図示しないサービス選択ボタンの押圧により、第１の通信方式と第２の通信方式の双方を用いた通信により提供されるサービスがユーザにより選択された旨の情報、ＵＲＬにより関連付けられたサービス提供元のＵＲＬが選択された旨の情報、第１の通信方式又は第２の通信方式により受信したデータに保持される第１の通信方式と第２の通信方式の双方を用いた通信により提供されるサービスである旨の情報、または第１の通信方式又は第２の通信方式により受信したデータに保持される情報（例えば、ＵＲＬ）を選択することにより更に第１の通信方式又は第２の通信方式で受信したデータに保持される第１の通信方式と第２の通信方式の双方を用いた通信により提供されるサービスである旨の情報である。
【００６４】
第１の受信電界強度検出部１０１は、図示しないアンテナで受信した第１の通信方式の受信信号が入力し、入力した第１の通信方式の受信信号の受信電界強度を検出する。そして、第１の受信電界強度検出部１０１は、検出した受信電界強度を検出結果として無線状態調整部１００２へ出力するか、または検出した受信電界強度に応じたアンテナバーにおけるバーの数を検出結果として無線状態調整部１００２へ出力する。
【００６５】
第２の受信電界強度検出部１０２は、図示しないアンテナで受信した第２の通信方式の受信信号が入力し、入力した第２の通信方式の受信信号の受信電界強度を検出する。そして、第２の受信電界強度検出部１０２は、検出した受信電界強度を検出結果として無線状態調整部１００２へ出力するか、または検出した受信電界強度に応じたアンテナバーにおけるバーの数を検出結果として無線状態調整部１００２へ出力する。
【００６６】
無線状態調整部１００２は、受信電界強度の調整を行うことを調整指示判定部１００１により指示された場合に、第１の受信電界強度検出部１０１から入力した受信電界強度の検出結果と、第２の受信電界強度検出部１０２から入力した受信電界強度の検出結果とに基づいて、第１の通信方式と第２の通信方式の双方を使用してサービスを受ける際の受信電界強度を決定する。この際、無線状態調整部１００２は、表示部１０５に表示するアンテナバーにおけるバーの数を受信電界強度として決定する。そして、無線状態調整部１００２は、決定した受信電界強度を表示制御部１０４へ出力する。なお、無線状態調整部１００２は、今回決定した受信電界強度が前回決定した受信電界強度と異なる場合にのみ、今回決定した受信電界強度を表示制御部１０４へ出力するようにしても良い。
【００６７】
表示制御部１０４は、無線状態調整部１００２から入力した受信電界強度を表示するための表示処理を行い、受信電界強度を表示部１０５に表示する制御を行う。
【００６８】
なお、無線端末装置１０００の動作は、調整指示判定部１００１から指示された場合に受信電界強度の調整を行う以外は図２〜図５と同一であるので、その説明を省略する。
【００６９】
このように、本実施の形態によれば、上記実施の形態１の効果に加えて、必要な時にのみ受信電界強度の調整を行うので、受信電界強度の調整に伴う処理負荷を軽減することができる。また、本実施の形態によれば、指示情報に基づいて利用者に提供されるサービスごとに受信電界強度の調整を行うか行わないかを切り替えることができるので、サービスの種類に適合した受信電界強度の表示を行うことができる。
【００７０】
（実施の形態４）
図１１は、本発明の実施の形態４に係る無線端末装置１１００の構成を示すブロック図である。
【００７１】
図１１に示す無線端末装置１１００は、図１に示す実施の形態１に係る無線端末装置１００に対して、調整条件取得部１１０１を追加し、無線状態調整部１０３の代わりに無線状態調整部１１０２を有する。なお、図１１において、図１と同一構成である部分には同一の符号を付してその説明を省略する。
【００７２】
調整条件取得部１１０１は、調整用パラメータ情報を取得する。ここで、調整用パラメータとは、例えば、図５の各閾値＃５０１〜＃５０６、または図７及び図８のテーブルの情報である。
【００７３】
第１の受信電界強度検出部１０１は、図示しないアンテナで受信した第１の通信方式の受信信号が入力し、入力した第１の通信方式の受信信号の受信電界強度を検出する。そして、第１の受信電界強度検出部１０１は、検出した受信電界強度を検出結果として無線状態調整部１１０２へ出力するか、または検出した受信電界強度に応じたアンテナバーにおけるバーの数を検出結果として無線状態調整部１１０２へ出力する。
【００７４】
第２の受信電界強度検出部１０２は、図示しないアンテナで受信した第２の通信方式の受信信号が入力し、入力した第２の通信方式の受信信号の受信電界強度を検出する。そして、第２の受信電界強度検出部１０２は、検出した受信電界強度を検出結果として無線状態調整部１１０２へ出力するか、または検出した受信電界強度に応じたアンテナバーにおけるバーの数を検出結果として無線状態調整部１１０２へ出力する。
【００７５】
無線状態調整部１１０２は、第１の受信電界強度検出部１０１から入力した受信電界強度の検出結果と、第２の受信電界強度検出部１０２から入力した受信電界強度の検出結果とを、調整条件取得部１１０１により取得した閾値と比較することにより、第１の通信方式と第２の通信方式の双方を使用してサービスを受ける際の受信電界強度を決定する。この際、無線状態調整部１１０２は、表示部１０５に表示するアンテナバーにおけるバーの数を受信電界強度として決定する。そして、無線状態調整部１１０２は、決定した受信電界強度を表示制御部１０４へ出力する。なお、無線状態調整部１１０２は、今回決定した受信電界強度が前回決定した受信電界強度と異なる場合にのみ、今回決定した受信電界強度を表示制御部１０４へ出力するようにしても良い。
【００７６】
表示制御部１０４は、無線状態調整部１１０２から入力した受信電界強度を表示するための表示処理を行い、受信電界強度を表示部１０５に表示する制御を行う。
【００７７】
なお、無線端末装置１１００の動作は、調整条件取得部１１０１において取得した調整パラメータ情報を用いて閾値を設定する以外は図２〜図５と同一であるので、その説明を省略する。
【００７８】
このように、本実施の形態によれば、上記実施の形態１の効果に加えて、閾値を記憶する必要がないので、記憶容量を小さくすることができ、小型化することができる。また、サービス内容が変更されたときや、時間帯や通信環境など環境条件に変化が生じたときに、異なる閾値を設定することができるので、サービス内容や環境条件に適合した受信電界強度を表示することができる。
【００７９】
なお、本実施の形態において、パラメータ情報は、図５の各閾値＃５０１〜＃５０６、または図７及び図８のテーブルの情報であるが、本発明はこれに限らず、図５の各閾値＃５０１〜＃５０６、または図７及び図８のテーブルの各閾値を算出により求めるためのパラメータの情報でも良い。
【００８０】
（実施の形態５）
図１２は、本発明の実施の形態５に係る無線端末装置１２００の構成を示すブロック図である。
【００８１】
図１２に示す無線端末装置１２００は、図１に示す実施の形態１に係る無線端末装置１００に対して、判定テーブル保持部１２０１及び判定テーブル選択部１２０２を追加し、無線状態調整部１０３の代わりに無線状態調整部１２０３を有する。なお、図１２において、図１と同一構成である部分には同一の符号を付してその説明を省略する。
【００８２】
判定テーブル保持部１２０１は、受信電界強度調整用のテーブルをサービス毎に保持する。
【００８３】
判定テーブル選択部１２０２は、サービスに関する情報であるサービス情報を取得し、取得したサービス情報のサービスに対応する判定テーブルを判定テーブル保持部１２０１に記憶している判定テーブルから選択する。ここで、サービス情報とは、伝送するデータの伝送容量、音声、画像等の伝送するデータの種別、またはサービス内容の種別等の情報である。
【００８４】
第１の受信電界強度検出部１０１は、図示しないアンテナで受信した第１の通信方式の受信信号が入力し、入力した第１の通信方式の受信信号の受信電界強度を検出する。そして、第１の受信電界強度検出部１０１は、検出した受信電界強度を検出結果として無線状態調整部１２０３へ出力するか、または検出した受信電界強度に応じたアンテナバーにおけるバーの数を検出結果として無線状態調整部１２０３へ出力する。
【００８５】
第２の受信電界強度検出部１０２は、図示しないアンテナで受信した第２の通信方式の受信信号が入力し、入力した第２の通信方式の受信信号の受信電界強度を検出する。そして、第２の受信電界強度検出部１０２は、検出した受信電界強度を検出結果として無線状態調整部１２０３へ出力するか、または検出した受信電界強度に応じたアンテナバーにおけるバーの数を検出結果として無線状態調整部１２０３へ出力する。
【００８６】
無線状態調整部１２０３は、第１の受信電界強度検出部１０１から入力した受信電界強度の検出結果と、第２の受信電界強度検出部１０２から入力した受信電界強度の検出結果とを、判定テーブル選択部１２０２が選択した判定テーブルに保持される調整値の各々と比較することにより、第１の通信方式と第２の通信方式の双方を使用してサービスを受ける際の受信電界強度を決定する。この際、無線状態調整部１２０３は、表示部１０５に表示するアンテナバーにおけるバーの数を受信電界強度として決定する。そして、無線状態調整部１２０３は、決定した受信電界強度を表示制御部１０４へ出力する。なお、無線状態調整部１２０３は、今回決定した受信電界強度が前回決定した受信電界強度と異なる場合にのみ、今回決定した受信電界強度を表示制御部１０４へ出力するようにしても良い。
【００８７】
表示制御部１０４は、無線状態調整部１２０３から入力した受信電界強度を表示するための表示処理を行い、受信電界強度を表示部１０５に表示する制御を行う。
【００８８】
なお、無線端末装置１２００の動作は、サービス情報を用いて判定テーブルを選択し、選択した判定テーブルに基づいて受信電界強度を調整する以外は図２〜図５と同一であるので、その説明を省略する。
【００８９】
このように、本実施の形態によれば、上記実施の形態１の効果に加えて、サービス内容に応じて異なる閾値を設定することができることにより、サービス内容に適合した受信電界強度を表示することができる。
【００９０】
なお、上記実施の形態１〜実施の形態５において、無線状態調整部は表示部に表示するアンテナバーにおけるバーの数を調整したが、本発明はこれに限らず、受信電界強度を示す任意の表示を調整することができる。また、上記実施の形態１〜実施の形態５において、第１の通信方式と第２の通信方式の２つの通信方式を使用してサービスの提供を受けたが、本発明はこれに限らず、３つ以上の任意の通信方式を使用してサービスの提供を受ける場合にも適用することができる。また、上記実施の形態１〜実施の形態５において、通信品質は受信電界強度であるものとして説明したが、本発明はこれに限らず、送信もしくは受信におけるデータ誤り率、パケットロス率、伝送遅延量、データ伝送速度または電界強度の変化量などの尺度に基づいた品質であってもよい。
【産業上の利用可能性】
【００９１】
本発明にかかる無線端末装置及び通信品質表示方法は、特に複数の異なる通信方式を用いてサービスの提供を受けるのに好適である。
【図面の簡単な説明】
【００９２】
【図１】本発明の実施の形態１に係る無線端末装置の構成を示すブロック図
【図２】本発明の実施の形態１に係る無線端末装置の動作を示すフロー図
【図３】本発明の実施の形態１に係る無線端末装置の位置と各通信エリアとの関係を示す図
【図４】本発明の実施の形態１に係る無線端末装置の各位置において、第１の受信電界強度検出部及び第２の受信電界強度検出部の受信電界強度の検出結果と、無線状態調整部における調整結果と、表示部の表示とを示す図
【図５】本発明の実施の形態１に係る各位置における第１の受信電界強度検出部の検出結果及び第２の受信電界強度検出部の検出結果の一例を示す図
【図６】本発明の実施の形態２に係る無線端末装置の構成を示すブロック図
【図７】本発明の実施の形態２に係る圏外判定テーブルを示す図
【図８】本発明の実施の形態２に係る調整値算出テーブルを示す図
【図９】本発明の実施の形態２に係る無線端末装置の動作を示すフロー図
【図１０】本発明の実施の形態３に係る無線端末装置の構成を示すブロック図
【図１１】本発明の実施の形態４に係る無線端末装置の構成を示すブロック図
【図１２】本発明の実施の形態５に係る無線端末装置の構成を示すブロック図
【符号の説明】
【００９３】
１００、６００、１０００、１１００、１２００  無線端末装置
１０１  第１の受信電界強度検出部
１０２  第２の受信電界強度検出部
１０３、６０３、１００２、１１０２、１２０３  無線状態調整部
１０４  表示制御部
１０５  表示部
【図１】
2010098366.tif 000003
【図２】
2010098366.tif 000004
【図３】
2010098366.tif 000005
【図４】
2010098366.tif 000006
【図５】
2010098366.tif 000007
【図６】
2010098366.tif 000008
【図７】
2010098366.tif 000009
【図８】
2010098366.tif 000010
【図９】
2010098366.tif 000011
【図１０】
2010098366.tif 000012
【図１１】
2010098366.tif 000013
【図１２】
2010098366.tif 000014